(57)【要約】      （修正有）【課題】決定された時間を表示するためのデバイスを備える時計を提供する。【解決手段】時間を表示するためのこのデバイスは、ディスプレイ要素Ａと、インジケータコンポーネント１と、インジケータコンポーネント１を駆動させるための駆動コンポーネント３と、駆動コンポーネント３に係合される瞬時ジャンプカムと、カムを駆動させるための駆動可動部５と、インジケータコンポーネント１に直接に係合されるための修正手段４とを有する。駆動コンポーネント３が、弾性巻き戻し手段および駆動コンポーネント３のピボットによってカムに係合され、弾性巻き戻し手段が修正手段４によってインジケータコンポーネント１の動きが干渉されるような位置を占めるときにインジケータコンポーネント１が弾性巻き戻し手段に逆らって駆動コンポーネント３を動かすことが可能となる。【選択図】図１
2012068240.tif 000002
【特許請求の範囲】
【請求項１】
決定された時間を表示するためのデバイスにおいて、前記時間を表示するためのディスプレイ要素（Ａ）と、前記ディスプレイ要素（Ａ）に対して動くことができるように取り付けられたインジケータコンポーネント（１）と、前記インジケータコンポーネント（１）を駆動させるための駆動フィンガー（３ａ）を備える駆動コンポーネント（３）と、ばね（９）の漸進的巻き上げ段階および瞬時解放段階を有し、前記駆動コンポーネント（３）に係合されるカム（６）と、前記時間の周期に対応する周期で前記カム（６）を駆動させるための駆動可動部（５）と、前記インジケータコンポーネント（１）に直接に係合されるための修正手段（４）とを有するデバイスであって、一方向接続デバイス（３ｂ、１１、１２）が前記駆動可動部（５）を前記カム（６）に接続させること、を特徴とするデバイス。
【請求項２】
前記駆動コンポーネント（３）が、弾性巻き戻し手段（３ｄ）および前記駆動コンポーネント（３）の自由度を画定するガイダンス手段（３ｂ）によって前記カム（６）に係合され、それにより、前記弾性巻き戻し手段（３ｄ）が前記修正手段（４）によって前記インジケータコンポーネント（１）の動きが干渉されるような位置を占めるときに前記インジケータコンポーネント（１）が前記弾性巻き戻し手段（３ｄ）に逆らって前記駆動コンポーネント（３）を動かすことが可能となる、請求項１に記載のディスプレイデバイス。
【請求項３】
前記駆動コンポーネント（３）、前記弾性巻き戻し手段（３ｄ）およびガイダンス手段（３ｂ、３ｃ）が、単一のコンポーネントを形成する、請求項２に記載のディスプレイデバイス。
【請求項４】
前記駆動コンポーネント（３）を誘導するための前記ガイダンス手段（３ｂ）が、前記カム（６）に固定されるディッシュ（７ａ）の底部に作られた円形開口部（７ｅ）内に係合されるピボット（３ｂ）を有し、前記ピボット（３ｂ）が前記駆動可動部（５）内に作られた円形凹部（５ａ）内に入るように突出し、前記一方向接続デバイス（３ｂ、１１、１２）が、前記駆動可動部（５）が回転する一方向のみにおいて前記凹部（５ａ）内に突出する前記ピボット（３ｂ）の部分に係合されるために、前記駆動可動部（５）に固定されて前記円形凹部（５ａ）内に取り付けられるスナップ嵌めデバイス（１１、１２）を含む、請求項２または３のいずれか一項に記載のディスプレイデバイス。
【請求項５】
前記カム（６）に固定された前記ディッシュ（７ａ）の縁部が前記駆動コンポーネント（３）の前記弾性巻き戻し手段（３ｄ）のための支持面として機能する、請求項４に記載のディスプレイデバイス。
【請求項６】
前記ディスプレイデバイスが、プラネタリ可動部（Ｐ）に噛合されかつ年の３０日の月に対応する歯を有するピニオン（１０ａ）を担持するタンブラー可動部（１０）を前記インジケータコンポーネントが担持する、年間カレンダーのディスプレイデバイスであり、追加のフィンガー（１４）が前記瞬時ジャンプカム（６）に固定されるが前記駆動コンポーネント（３）の前記フィンガー（３ａ）に対して角度的にオフセットされ、前記タンブラー（１０）と前記プラネタリ可動部との間の歯車比が、前記カム（６）が瞬時的にジャンプするときに前記ピニオン（１０ａ）の歯のうちの１つが前記追加のフィンガーの軌道に位置されるように選択される、前記請求項のいずれか一項に記載のディスプレイデバイス。
【請求項７】
前記修正手段（４，２４）がタイミングギアトレーンを使用しない迅速な修正手段である、前記請求項のいずれか一項に記載のディスプレイデバイス。
【請求項８】
前記請求項のいずれか一項に記載のディスプレイデバイスを備える、特に腕時計である時計。
【発明の詳細な説明】
【技術分野】
【０００１】
本発明は、決定された時間を表示するためのディスプレイ要素と、上記のディスプレイ要素に対して動くことができるように取り付けられるインジケータコンポーネントと、インジケータコンポーネントを駆動させるための駆動フィンガー（ｄｒｉｖｅ  ｆｉｎｇｅｒ）を備える駆動コンポーネントと、ばねの漸進的巻き上げ段階および瞬時解放段階を有し、前記駆動コンポーネントに係合されるカムと、前記時間の周期に対応する周期で前記カムを駆動させるための駆動可動部（ｄｒｉｖｅ  ｍｏｂｉｌｅ）と、前記インジケータコンポーネントに直接に係合されるための修正手段とを有する、決定された時間を表示するためのデバイスに関する。本発明はまた、このようなデバイスを備える時計、特に腕時計に関する。
【背景技術】
【０００２】
従来技術で知られている瞬時ジャンプカレンダー機構（ｉｎｓｔａｎｔａｎｅｏｕｓ−ｊｕｍｐ  ｃａｌｅｎｄａｒ  ｍｅｃｈａｎｉｓｍ）は、日付を戻すことによってではなく日付を進ませることによってのみ機能することができる迅速な修正手段を有する。これはカレンダーが単純である場合に適切となり得る。腕時計の装着者が日付を調整するときに進めるカレンダーインジケータ（ｃａｌｅｎｄａｒ  ｉｎｄｉｃａｔｏｒ）は最大で３０のみである。一方で、カレンダーが年間カレンダーまたは万年カレンダーであり、カレンダーを修正する唯一の手段が日付を修正することを必要とする場合、日付を進めるまたは戻すことによってカレンダーインジケータを駆動させることが可能とすることが必須となる。しかし、駆動可動部がカレンダーインジケータディスクの歯車に係合されているときに日付の迅速な修正を実行することが所望される場合、使用者は日付を進めようとすると阻害されてしまい、使用者がこの阻害に打ち勝とうとすると機構が損傷してしまう。使用者が日付を戻して迅速な修正を行うことを試みる場合、この修正が完了すると、レバーおよび瞬時ジャンプカム（ｉｎｓｔａｎｔａｎｅｏｕｓ−ｊｕｍｐ  ｃａｍ）を作動させるばねがこの修正時に蓄積エネルギーを復元してカムを回転させる。カムがこのように回転することにより、カレンダーインジケータディスクの逆転を変更してカレンダーディスクが１ステップ進む。したがって、これらの機構には日付の修正が不可能となるような時間帯が含まれる。さらに、駆動可動部がカレンダーインジケータディスクの歯車に係合されている場合に時間が予め設定されていると、日付が修正され得ないこの時間帯は拡大される可能性がある。このような修正ができない時間帯を取り除くことを目的とした解決策は確かに提案されているが、これらは迅速な修正を日付を進める方向のみに限定する。
【０００３】
特許文献１および特許文献２が、時間を設定することによって両方の方向に日付を修正することができる独自の特徴を有する、特に従動的に日付を変更するディスプレイ機構に関連している。ここでは、二方向の日付の修正はゆっくりにしか行われない。
【０００４】
特許文献３が、瞬時ジャンプ駆動可動部（ｉｎｓｔａｎｔａｎｅｏｕｓ−ｊｕｍｐ  ｄｒｉｖｅ  ｍｏｂｉｌｅ）に組み込まれる、カムを有する瞬時ジャンプディスプレイ機構（ｉｎｓｔａｎｔａｎｅｏｕｓ−ｊｕｍｐ  ｄｉｓｐｌａｙ  ｍｅｃｈａｎｉｓｍ）に関連しており、その幾何形状は、カレンダー駆動フィンガー（ｃａｌｅｎｄａｒ  ｄｒｉｖｉｎｇ  ｆｉｎｇｅｒ）をカレンダーインジケータディスクの歯車から外すように設計されている。この解決策により日付を進める方向において日付を迅速に修正することが可能となるが、逆の日付方向において日付を修正することができない時間帯は取り除かれない。さらに、この解決策は、日付が変更された後に使用者が時間を設定すると、カレンダーインジケータディスクの駆動フィンガーがこのディスクの歯車内に戻され、日付を迅速に再設定することが妨げられて故障が起きるような状況を考慮していない。
【０００５】
特許文献４が、瞬時ジャンプ駆動可動部に取り付けられる、カレンダーインジケータディスクの弾性駆動フィンガーを有するカレンダーインジケータを表示するための機構を記載している。この弾性フィンガーにより、日付を進める方向において日付を迅速に修正することができない時間帯をすべて取り除くことが可能となるが、日付を戻す方向において日付を迅速に修正することができない時間帯は取り除かれない。さらに、この解決策は、日付を戻す方向において日付を迅速に修正することを取り消すことには適していない。
【０００６】
特許文献５が、２４時車とカレンダー駆動フィンガーとの間に一方向接続部を備える瞬時ジャンプの駆動可動部に関連している。この発明の唯一の目的は、万年カレンダーの時刻を設定するときに起こる故障の危険性を一切取り除くことである。この文献は、１つまたは２つの修正方向においてカレンダーを迅速に修正することに関連する問題には一切言及しておらず、修正手段を記載していない。
【０００７】
特許文献６が、その目的がいつでも時刻を設定することを可能にすることであるデザインを記載している。種々のインジケータを迅速に修正するための手段には言及していない。
【先行技術文献】
【特許文献】
【０００８】
【特許文献１】欧州特許第１９５３６１１Ａ１号
【特許文献２】スイス国特許第６９９１０２Ａ２号
【特許文献３】欧州特許第２０１５１４６Ａ１号
【特許文献４】欧州特許第１７４６４７０Ａ１号
【特許文献５】欧州特許第１５８６９６１Ａ２号
【特許文献６】欧州特許第１７３４４１９Ａ１号
【特許文献７】欧州特許第１５９６２６１Ｂ１号
【発明の概要】
【発明が解決しようとする課題】
【０００９】
本発明の目的は上述の欠点を少なくとも部分的に改善することである。
【課題を解決するための手段】
【００１０】
したがって、本発明の主題は、請求項１に記載の、決定された時間を表示するためのデバイスである。
【００１１】
請求項２から７がこのデバイスの実施形態を定義している。
【００１２】
請求項８が本発明による時計を定義している。
【００１３】
このディスプレイデバイスにより、二重ジャンプの危険性がなく、１つの決定された時間から次の時間までの移行が瞬時に行われる。このデバイスは、指示された時間をいつでも修正することを可能にする。場合によっては、増加するディスプレイ方向および減少するディスプレイ方向においてこの修正を行うことが可能となる。
【００１４】
このディスプレイデバイスは、特に、追加の修正ボタンを必要とすることなく年間カレンダーおよび万年カレンダーの両方と共に使用され得る。このディスプレイデバイスは、ジャンピングアワーズディスプレイウォッチ（ｊｕｍｐｉｎｇ  ｈｏｕｒｓ  ｄｉｓｐｌａｙ  ｗａｔｃｈ）用のウィークインジケータ（ｗｅｅｋ  ｉｎｄｉｃａｔｏｒ）の曜日または他にはアワーズディスク（ｈｏｕｒｓ  ｄｉｓｋ）を駆動させるのに、あるいは他には、月相を指示するための可動部を駆動させるのに使用されてもよく、場合によっては、これらの指示を二方向においていつでも迅速に修正することを可能にする。
【００１５】
本発明の別の独自の特徴および利点は、添付図面によって概略的に示される例としての２つの実施形態および１つの変形形態からなる以下の説明を通して明らかとなる。
【図面の簡単な説明】
【００１６】
【図１】ディスプレイデバイスの第１の実施形態を示す平面図である。
【図１Ａ】図１の拡大部分平面図である。
【図２】図１ＡのＩＩ−ＩＩに沿った断面図である。
【図３】図２を斜めから見た分解図である。
【図４】それぞれ駆動位置および非駆動位置にある図２のデバイスを示す、図２のＩＶ−ＩＶに沿った部分平面図である。
【図５】それぞれ駆動位置および非駆動位置にある図２のデバイスを示す、図２のＩＶ−ＩＶに沿った部分平面図である。
【図６】時間ディスプレイの増加方向における修正を示している、ディスプレイデバイスを示す平面図である。
【図７】時間ディスプレイの減少方向における修正を示している、ディスプレイデバイスを示す平面図である。
【図８】特許文献７に記載される年間カレンダーを表示するためのデバイスの場合の、本発明によるデバイスの変形形態を示す斜視図である。
【図９】時間ディスプレイの減少方向において迅速な修正が行われるときに阻害を受けるのを防止することを可能にするために図８に従って修正された、年間カレンダーを表示するためのこのデバイスの平面図である。
【図１０】第２の実施形態を示す平面図である。
【図１１】図１０の拡大部分図である。
【発明を実施するための形態】
【００１７】
図１から７に示される実施例では、決定された時間を表示するためのデバイスは時計のカレンダーインジケータのディスプレイに関連し、したがって２４時間に対応している。このデバイスは、ジャンパー２のノーズ２ａによって位置決めされる、歯１ａを備えるカレンダーインジケータディスク１と、文字板内に作られたアパーチャによって形成されるディスプレイコンポーネントＡとを有する。このデバイスはまた迅速な修正可動部（ｒａｐｉｄ  ｃｏｒｒｅｃｔｉｏｎ  ｍｏｂｉｌｅ）４を有し、その歯４ａはカレンダーインジケータディスク１の歯１ａに係合され、カレンダーインジケータディスクを両方の方向に駆動させることができる。この迅速な修正可動部は巻き上げ機構のシャフトにより既知の手法で直接に制御され得、タイミングギアトレーン（ｔｉｍｉｎｇ  ｇｅａｒ  ｔｒａｉｎ）ではなくより直接的なしたがってより迅速な接続部によって駆動される。歯車列には減速が本来備わっているため、より低速であるタイミングギアトレーンを使用する修正と区別するために「迅速な修正」と名づけられる。
【００１８】
カレンダーインジケータディスク１の歯１ａは、この実施例では、図１Ａ、２および３に具体的に示される瞬時ジャンプ駆動機構（ｉｎｓｔａｎｔａｎｅｏｕｓ−ｊｕｍｐ  ｄｒｉｖｅ  ｍｅｃｈａｎｉｓｍ）のフィンガー３ａによって、とりわけこのフィンガーの側面３ａ’によって２４時間毎に駆動される。
【００１９】
この機構は、時計のタイミングギアトレーンのアワーズホイール（ｈｏｕｒｓ  ｗｈｅｅｌ）（すなわちキャノンホイール（ｃａｎｎｏｎ  ｗｈｅｅｌ）、図示せず）に係合される２４時車５を有する。２４時車５とアワーズホイールとの間のギア比は２：１であり、２４時車５は２４時間で１回転する。この２４時車は、時計の枠に固定されたピボット上を枢動するように取り付けられた管状コア７のセグメント７ｃを中心に自由に枢動する。
【００２０】
管状コア７はディッシュ７ａを有し、駆動コンポーネント３が、ディッシュ７ａの底部に作られた円形開口部７ｅ内に係合されるピボット３ｂの助けによって枢動するようにその中に取り付けられている。ピボット３ｂは、ディッシュ７ａの下方で、２４時車５内に作られた円形凹部５ａに入るように突出しており、この凹部の中には、スナップ嵌めコンポーネント１１がピボット１１ａの助けによって枢動するように取り付けられている。スナップ嵌めコンポーネント１１の一方の端部に接触して配置されるばね１２が、このスナップ嵌めコンポーネント１１の反対側の端部を円形凹部５ａの側壁に接触させて維持する傾向にある。このスナップ嵌めコンポーネント１１は、２４時車５と駆動コンポーネント３との間で一方向駆動コンポーネントとして機能する。
【００２１】
駆動コンポーネント３は、カレンダーインジケータディスクまたはリング１の歯１ａに係合されるためにその表面上で突出している駆動フィンガー３ａを支持している。この駆動コンポーネントは、その自由端部がディッシュ７ａの側壁に接触して配置されるばね３ｄを有する。このばねは、駆動コンポーネント３をピボット３ｂを中心に時計回り方向に回転させる傾向にある。この回転は、コア７の部分７ｂに当接される細長い開口部３ｃの一方の端部によって制限される。
【００２２】
管状コア７はまた、その上で２４時車が枢動し、この２４時車５の下方で延在する、セグメント７ｃより直径の小さいセグメント７ｄを有する。瞬時ジャンプカム６が管状コア７のセグメント７ｄに接触してチェースされ（ｃｈａｓｅｄ）、セグメント７ｄとセグメント７ｃとの間に作られた支持面に接触して配置される。
【００２３】
瞬時ジャンプカム６は、ばね９によってカム６に押圧されるレバー８によって支持されるローラ８ａに係合される。このカム６は、巻き上げカーブ（ｗｉｎｄｉｎｇ  ｃｕｒｖｅ）６ａ、瞬時ジャンプカーブ（ｉｎｓｔａｎｔａｎｅｏｕｓ−ｊｕｍｐ  ｃｕｒｖｅ）６ｂおよび凹面ストップカーブ（ｃｏｎｃａｖｅ  ｓｔｏｐ  ｃｕｒｖｅ）６ｃを有する。２つのカーブ６ａおよび６ｂの間の交差部分が、ばね９の作用を受けるレバー８がローラ８ａをこの交差部分からストップカーブ６ｃまで突発的に通過させる正確な瞬間を決定する。
【００２４】
上述したデバイスは以下の形で動く。
【００２５】
通常の動作では、２４時車５が図４の矢印の方向に回転する。スナップ嵌めコンポーネント１１がこの図に示される位置にある。ばね１２に係合される端部の反対側の端部が２４時車５内の空間５ａの側壁に対しておよび駆動コンポーネント３のピボット３ｂに対して同時に押圧される。その結果、要素３、６および７のすべてが、レバーのローラ８ａが瞬時ジャンプカム６のカーブ６ａ、６ｂの接合部に到達するまで、２４時車５によって駆動される。
【００２６】
このとき、カム６、管状コア７および駆動コンポーネント３は、ばね９が巻き上げられるときに蓄積されるエネルギーにより、カーブ６ａ、６ｂの接合部から、ローラ８ａがストップカーブ６ｃに到達するまで、駆動される。これらの要素がこのように突発的に動く間、フィンガー３ａの側面３ａ’がカレンダーインジケータディスク１を１ステップずつ駆動させる。図６は、駆動フィンガー３ａによって月の１日分がジャンプした直後のディスプレイデバイスの位置を示している。駆動コンポーネントのピボット３ｂがスナップ嵌めコンポーネント１１から分離されていること、および、駆動フィンガー３ａがカレンダーディスクの２つの歯１ａの間に留まることに留意されたい。したがって、フィンガー３ａの側面３ａ’’がカレンダーインジケータディスクに対する当接部として機能し、これにより、このディスクが、駆動コンポーネント３によって２４時間毎に引き起こされる瞬時的なジャンプによって１ステップを超えて動くことが確実になくなる。
【００２７】
フィンガー３ａが２つの歯１ａの間にくる正確な瞬間に、腕時計の使用者が、通常の方向の逆の方向に針を回転させることにより時間を設定しようと試みる場合を想定する。２４時車を駆動させるアワーズホイール（図示せず）が、２４時車を図５の矢印によって示される方向に回転させる。この方向では、スナップ嵌めコンポーネント１１が、ピボット３ｂに接触すると反時計回り方向に傾く。したがって、駆動コンポーネント３およびカム６が駆動されず、したがって、歯１ａに対するフィンガー３ａの位置は変化せず、動作不良を起こしたり阻害を受けたり故障したりするという問題がなく腕時計の針がこのように回転することができる。
【００２８】
駆動フィンガー３ａがこの同じ位置にあり、迅速な修正可動部４が図６の矢印の方向に手動で駆動される場合、迅速な修正可動部４がカレンダーインジケータディスク１の歯１ａをカレンダーインジケータディスプレイの増加する方向に駆動させる。カレンダーインジケータディスプレイの増加する方向に動く歯１ａによってフィンガー３ａの側面３ａ’’が駆動されるとき、駆動コンポーネント３は２４時車５から分離されていることから、歯１ａが通過するごとに、カム６に係合されるレバー８がローラ８ａをカム６の凹面ストップカーブ６ｃの中空部内へと戻し、結果的に、フィンガー３ａが図６の位置に戻される。したがって、カレンダーインジケータディスプレイの増加する方向において迅速な修正を行っても問題は起こらない。
【００２９】
ここで、図７に示すように、カレンダーインジケータディスプレイの減少する方向にカレンダーインジケータディスク１を回転させるために修正可動部４を介して迅速な修正を行う場合の状況を考える。図７の矢印によって示される方向にカレンダーインジケータディスク１を逆転させることにより、歯１ａが、２つの歯１ａの間にあるフィンガー３ａの側面３ａ’’’に接触する。矢印Ｆによって示される方向において歯１ａがフィンガー３ａの側面３ａ’’’に作用させる力により、細長い開口部３ｃがあることで、駆動コンポーネントがピボット３ｂを中心に枢動することが可能となる。ピボット３ｂを中心に反時計回り方向に枢動することにより、駆動コンポーネント３がばね３ｄを圧縮する。歯１ａがフィンガー３ａを解放すると、ばね３ｄがコンポーネント３をピボット３ｂを中心に時計回り方向に枢動させる。コンポーネント３がこのように両方の方向に枢動することは開口部３ｃによって制限され、フィンガー３ａは、カレンダーインジケータの減少する方向において迅速な修正が行われる前に占めていた位置まで戻される。針を通常の方向とは逆の方向に回転させることによって行われる時間の設定は歯１ａに対するフィンガー３ａの位置決めに影響を及ぼさないことから、カレンダーインジケータディスクがカレンダーインジケータの減少する方向に動く場合、歯１ａはフィンガー３ａの側面３ａ’’’に継続的に接触する。したがって、１つの歯１ａがフィンガー３ａに作用させる力の向きは側面３ａ’’’によって完全に画定され、フィンガー３ａがピボット３ｂを中心に回転することが可能となる。したがって、日付の逆方向において日付が迅速に修正される際に歯１ａのうちの１つとフィンガー３ａとの間で阻害を受ける危険性は除去される。
【００３０】
したがって、フィンガー３ａが、日付を瞬時的に移行させるためにカレンダーインジケータディスクを１ステップだけ駆動させることのみを目的とする側面３ａ’を有することに留意されたい。また、フィンガー３ａが、カレンダーインジケータディスクがカレンダーインジケータのディスプレイの減少する方向に動かされるときに歯１ａのうちの１つと側面３ａ’との間の接触を一切防止するように形成された側面３ａ’’’を備えることに留意されたい。したがって、日付の逆方向において日付を迅速に修正する際、１つの歯１ａがフィンガー３ａに作用させる力Ｆの向きは側面３ａ’によって画定されることは決してなく、したがって、その力Ｆの向きがピボット３ｂを通過することも決してない。結果的に、カレンダーインジケータディスクとフィンガー３ａとの間で阻害を受ける危険性が除去される。
【００３１】
図８および９は、特許文献７に記載される年間カレンダーに適用される、上述した実施形態の変形形態に関する。この文献に記載されるように、この変形形態では、カレンダーインジケータディスクまたはリング１は、プラネタリ可動部（ｐｌａｎｅｔａｒｙ  ｍｏｂｉｌｅ）Ｐに噛合されるタンブラー１０を担持する。このタンブラーは、３０日からなる年の４ヶ月に対応する４歯ピニオン１０ａを備えており、これは固定された遊星歯車（ｐｌａｎｅｔａｒｙ  ｔｏｏｔｈ  ｇｅａｒ）に噛合されている。タンブラー１０とプラネタリ可動部Ｐとの歯車の比は、各３０日の月が終わるときにピニオン１０ａの歯のうちの１つが、管状コア７に固定されておりしたがってカム６に固定されている追加のフィンガー１４の軌道に位置されるように、選択される。
【００３２】
追加のフィンガー１４は、駆動コンポーネント３のフィンガー３ａに対して角度的にオフセットされる。レバー８およびローラ８ａによって伝達されるばね９の圧力下でカム６が瞬時的にジャンプする際、フィンガー３ａおよび１４が角度的にオフセットされていることにより、フィンガー１４が、タンブラー１０の歯１０ａのうちの１つと最初に接触してカレンダーインジケータリングを１ステップ動かし、それにより、カレンダーインジケータリングが３０日から３１日まで通過し、カム６が同じように瞬時的にジャンプする際、フィンガー３ａが引き続き次の１ステップによってカレンダーインジケータリング１の歯１ａを駆動させ、カレンダーインジケータリングが３０日から１日まで通過する。すなわち、カム６が同じように瞬時的にジャンプする間に、カレンダーインジケータリングが３０日から１まで動く。
【００３３】
特許文献７に記載される機構では、フィンガー３ａおよびフィンガー１４は共に瞬時ジャンプカム６に固定される。これに対して、本発明の主題である機構では、フィンガー３ａは駆動コンポーネント３に固定されるが、フィンガー１４は固定されない。ディスプレイ機構のコンポーネントが図９で示される位置にあるときに、カレンダーインジケータの逆方向において迅速に日付の設定が行われる場合、迅速な修正可動部４の動作の下で矢印の方向に動くカレンダーインジケータディスクまたはリング１の歯１ａがフィンガー３ａに接触して、図７の場合のようにフィンガー３ａを確実に離れる方向に動かす。したがって、反時計回り方向において時間の設定が予め行われる場合でもそうでない場合でも、歯１０ａとフィンガー１４との間で阻害を受ける危険性はない。
【００３４】
これと同じ原理は、ウィークインジケータの曜日を駆動させる場合にも使用され得、またはジャンピングアワーズディスプレイデバイス（ｊｕｍｐｉｎｇ  ｈｏｕｒｓ  ｄｉｓｐｌａｙ  ｄｅｖｉｃｅ）にも使用され得る。いずれの場合も、この駆動コンポーネントをこれらのディスプレイデバイスに適用することにより、このデバイスが阻害を受けたり故障したりする危険性がなく両方の修正方向において迅速に修正を行うことまたは単純に時間を設定することあるいはさらにはそれらの両方を行うことが可能となる。
【００３５】
上述した第１の実施形態では、スナップ嵌めコンポーネント１１は、２４時車５と駆動コンポーネント３との間で一方向駆動コンポーネントとして使用されるものとして説明された。この駆動コンポーネントはさらに、特定の場合において、フィンガーが依然として歯１ａに係合されており、日付が変更された直後に修正が行われる際にフィンガー３ａがウィークリング（ｗｅｅｋ  ｒｉｎｇ）１の曜日の歯１ａから後退させることを可能にするために、フィンガー３ａと、細長い開口部３ｃと、オフセンターピボット３ｂと、ばね３ｄとを有する。
【００３６】
また、一方向接続デバイスを剛性駆動フィンガーに関連付ける可動部を使用することが有利である場合もある。剛性駆動フィンガーは、時指示の増加する方向において時指示を迅速に修正することができないすべての時間帯を取り除くことを可能にし、さらに、特定の状況において、駆動可動部に関連する弾性駆動フィンガー３ａに有利に取って代わることが可能であり、時間設定の影響下で駆動可動部が二方向に駆動されるのを可能にする。
【００３７】
図１０および１１に示される第２の実施形態はウィークディスプレイ（ｗｅｅｋ  ｄｉｓｐｌａｙ）の曜日に関連する。この実施形態は７つの歯２１ａを備える星車２１を含む。この星車２１は曜日表示ディスク２１’を支持する。この星車２１の歯２１ａはジャンパー２２の端部のところに位置されるノーズ２２ａによって角度的に割出しされ、第１の実施形態の場合のようにアワーズホイール５によって２４時間毎に午前零時に瞬間的に駆動される。
【００３８】
このデバイスは、本発明を理解するためには精通していることが必須というわけではない既知の機構によって、図１１に付される矢印の方向においてのみ駆動される修正ピニオン２４と、星車２１に固定される修正ホイール２４’とを有する迅速な修正機構を有する。したがって、曜日指示は曜日の増加する方向においてのみ修正され得る。
【００３９】
第１の実施形態と同様にレバー８、ばね９およびカム６によって星車２１がジャンプした後、駆動フィンガー２３ａは図１０および１１に示される位置にくる。フィンガー２３ａがこのように位置されることにより、曜日表示ディスク２１’が二重にジャンプする危険性を一切防止することが可能となる。
【００４０】
星車２１が回転することの影響を受けて後退するが二方向の駆動に関連する、従来技術と同様の弾性駆動フィンガーは、日付がジャンプした直後に実施される反時計回り方向における時間設定の後に行われる迅速な修正の問題を解決するのに使用され得ない。具体的には、このような修正は、星車２１の角ピッチが約５２°に相当し、カレンダーインジケータディスクの場合はこの角ピッチはわずかに１１．６°であることから、このような弾性フィンガーに関連するスプリングリーフに過度の応力を発生させる可能性がある。
【００４１】
これが、第２の実施形態で説明した一方向の駆動がそれのみでこの問題を解決するのに使用され得る理由である。したがって、この場合は駆動フィンガー２３ａは固定され得る。この実施形態のおかげで、二重にジャンプするのを一切防止するために、日付がジャンプした後に曜日表示ディスク２１が固定されるという原則は維持される。図１１によって示されるように、日付がジャンプした後、フィンガー２３ａは歯２１ａ内に依然として保持される。この修正は、第１の実施形態と同様に、ピボット３ｂと、スナップ嵌めコンポーネント１１と、ばね１２とによって形成される、駆動フィンガー２３ａと駆動可動部５との間の一方向接続部のおかげで可能となる。
【００４２】
修正ピニオン２４が週の曜日のディスプレイの増加する方向に星車２１を回転させる場合、歯２１ａが、一方向接続部によりアワーズホイール５から分離されたフィンガー２３ａを駆動させる。ローラ８ａをカム６の中空部６ｃ内へと戻すばね９によって押圧されるレバー８により、歯２１ａが通過するごとにフィンガー２３ａが図１１に示される最初の位置に戻される。
【００４３】
「インジケータコンポーネントに直接に係合されるための修正手段」すなわち「インジケータコンポーネントに直接に係合される修正手段」とは、特に、２４時車を介さない動作を適用することによってインジケータコンポーネントを動かすことを可能することを意味する。
【符号の説明】
【００４４】
１  カレンダーインジケータディスク
２  ジャンパー
３  駆動コンポーネント
３ａ、２３ａ  駆動フィンガー
３ｂ  ピボット
４  迅速な修正可動部
５  ２４時車
６  瞬時ジャンプカム
７  管状コア
８  レバー
８ａ  ローラ
９、１２  ばね
１０  タンブラー
１１  スナップ嵌めコンポーネント
１４  追加のフィンガー
２１  星車
２１’  曜日表示ディスク
２２  ジャンパー
２４  修正ピニオン
２４’  修正ホイール
【図１】
2012068240.tif 000003
【図１Ａ】
2012068240.tif 000004
【図２】
2012068240.tif 000005
【図３】
2012068240.tif 000006
【図４】
2012068240.tif 000007
【図５】
2012068240.tif 000008
【図６】
2012068240.tif 000009
【図７】
2012068240.tif 000010
【図８】
2012068240.tif 000011
【図９】
2012068240.tif 000012
【図１０】
2012068240.tif 000013
【図１１】
2012068240.tif 000014
【外国語明細書】
2012068240000001.pdf
2012068240000002.pdf
2012068240000003.pdf
2012068240000004.pdf